(57)【要約】【課題】  帽子を被った状態で櫛の歯が、頭髪に刺し込まれて掛止すると共に、帽子への取付けに特別の部品を使用することなく、櫛の歯の一部を利用することで、簡単に着脱できるようにした掛止具付きの帽子及びその帽子に用いる掛止具の提供を目的とする。【解決手段】  頭髪に刺し込まれる歯を連続させて設けた第１の櫛と、この第１の櫛とは前記歯を逆方向に配設すると共に、第１の櫛とは一体化して設けた第２の櫛とで掛止具を形成した。  この掛止具を帽子の内周部に配設することで、掛止具付きの帽子とした。このような掛止具付きの帽子によれば、帽子を被ると一方の櫛が頭髪に掛止して、風圧に対しては両方の櫛が髪を逆立てるように作用して、防止の吹き飛びを阻止する。【選択図】        図１
2006316396.tif 000002
【特許請求の範囲】
【請求項１】
頭部へ着用する帽子と、
この帽子の内周部に配設されて、頭髪に掛止する歯を連続して設けた第１の櫛と、この第１の櫛とは前記歯を逆方向に配設すると共に、第１の櫛とは一体化して設けた第２の櫛とで形成した掛止具とからなる掛止具付きの帽子。
【請求項２】
頭髪に掛止する歯の先端部を、歯の延出方向とは斜交する様に傾斜して設けた第１の櫛と、
この第１の櫛に設けた前記歯の延出方向とは逆向きに配設すると共に、第１の櫛とは少なくともその一部を重合して形成した第２の櫛とからなる掛止具。
【請求項３】
頭髪に掛止する歯を連続して設けた第１の櫛と、
この第１の櫛とは前記歯を逆向きに配設すると共に、第１の櫛とは一体化して設けた第２の櫛と、
この第２の櫛と前記第１の櫛とに配設した前記歯の一部を、それぞれの歯の延出方向とは直交する方向に折曲して設けた帽子への取付手段とからなる掛止具。
【発明の詳細な説明】
【技術分野】
【０００１】  本発明は、風圧や激しい動きなどに対しても、帽子が飛ばされないように改善した掛止具付きの帽子及びその帽子に用いる掛止具に関する。
【背景技術】
【０００２】  帽子を飛ばされないようにした従来例としては、帽子内周面の前頭部に上向きの櫛状物を固着して、この帽子が飛ばされそうになると、櫛状物が頭髪に差し込むようにしたつば広帽子の脱外帽子装置がある。（例えば特許文献１参照）
また、同様に櫛を帽子内周面の両側頭部に固着したもので、脱落帽子用具に馬蹄形クシを設けた頭部着用具がある。（例えば特許文献２参照）
【特許文献１】  実開昭５０−５８９１５号公報（第２頁、第２図）
【特許文献２】  特開２００３−３３１４号公報（第２頁、図１）
【発明の開示】
【発明が解決しようとする課題】
【０００３】  特許文献１に示すつば広帽子の脱外防止装置は、帽子を被った状態では、櫛状物が全く作用せずに、飛ばされそうになった帽子が浮き上ってから、櫛の歯の部分が頭髪に差し込まれる構成である。従って、帽子の浮き上りが少ないと櫛の歯は、頭髪に差し込まれる程度が少なくて、防止がある程度浮き上らなければ、頭髪に対する櫛の差し込み効果が生じなかった。
瞬間的な風に対しては、櫛の歯の差し込みが充分でないうちに、帽子が吹き飛ばされてしまって、確実に帽子を掛止することができなかった。
また、帽子を被る時に、櫛を形成する基端部４で、頭髪を押えてしまうので、歯が頭髪に差し込みにくいように作用して、上記のような不具合が更に生じやすく、本来の目的を達成させるには不充分であった。
特許文献２に示す脱落防止用具に、馬蹄形クシを設けた頭部着用具は、帽子内周面の両側頭部に櫛を配置しているが、櫛の歯が上向きだけなので、特許文献１と同様の不具合を生じていた。
更に、特許文献１及び特許文献２に示す係止具の取付けには、別部品を用いる必要があって、取付けが面倒であるという欠点もあった。
本発明は、このような不具合を解消するためになされたものであり、帽子の掛止具として、上下方向に歯を設けた櫛を用いることで、帽子を被ると必ず下向きの歯が頭髪に差し込まれた状態になり、上向きの歯と合せて、確実な対応ができるようにした掛止具付きの帽子及びその帽子に用いる掛止具の提供を目的とする。
【発明を解決するための手段】
【０００４】  上記不具合を解決するために、本発明は次のような構成としている。
請求項１に記載した掛止具付きの帽子は、帽子の内周部に配設されて、頭髪に掛止する歯を連続して設けた第１の櫛と、この第１の櫛とは逆方向に歯を設けた第２の櫛とを、一体化して形成した掛止具を帽子に取付けることで、掛止具付きの帽子とした。
互いに異なる方向に歯を設けた係止具は、帽子を被ると一方の櫛が頭髪に係止すると共に、風圧に対しては両方の櫛が頭髪に差し込んで、掛止するように作用する。
請求項２に記載した掛止具は、頭髪に掛止する歯の先端部を、歯の延出方向とは斜交するように傾斜させた第１の櫛と、この櫛に設けた歯の延出方向とは逆向きに配設した第２の櫛とを一体化して掛止具とした。
この掛止具によれば、第１の櫛の先端部を斜交するように折曲することにより、風圧に対して頭髪の抵抗が大きくなって、より確実に帽子を掛止することができた。
請求項３に記載した掛止具は、請求項２に記載した掛止具に、櫛を形成する歯の一部を、歯の延出方向とは直交する方向に折曲して、帽子に対する取付手段とすることで掛止具とした。この掛止具によれば取付手段が一体化されており帽子への着脱が容易である。
【発明の効果】
【０００５】  本発明によれば、第１の櫛と第２の櫛とを一体化して、互いに逆向きの歯を設けたことにより、以下の効果を得ることができた。
すなわち、従来例のように風圧を受けて、帽子が浮き上ってから、歯が頭髪に差し込む構成ではなくて、帽子を被った状態で下向きの歯が、頭髪に掛止しているから、瞬間的な風圧であっても、両方の櫛に抵抗され、確実に帽子の飛散を阻止することができる。
また、第１の櫛と第２の櫛とを一体化した掛止具は、それぞれの歯を取付けする横桟状の基体が、帽子の上昇移動を阻止するように作用するし、歯の先端部を斜交するように折曲した部分で、更に頭髪に対する抵抗を大きくしたので、風圧に対する効果を大きく向上させた。
この掛止具は櫛を形成する歯を、帽子への取付手段としたことで、掛止具の着脱が容易である等の効果を得ることができた。
【発明を実施するための最良の形態】
【０００６】  本発明について、図面を参照して説明する。図１は本発明の掛止具を示す斜視図、図２は図１の分解斜視図、図３は図２で示した第１の櫛と第２の櫛との他の組合せ方を示す説明図である。
図１で示すように本発明の掛止具１１は、金属製の細い線よりなる２つの櫛の歯を、互いに逆方向を向くように配設した第１の櫛１２と、第２の櫛２２とを組合せして形成したものである。この第１の櫛１２と第２の櫛２２とについて、更に詳細に説明する。
図２で示すように第１の櫛１２は、帽子の内周部にそって取付けできるように、湾曲して形成した帯状の金属線よりなる基体１３と、この基体に巻付けて基体１３とは直交する方向に延出した歯１４とからなる。
歯１４は基体１３からは往復状態で延出すると共に、基体１３側は線を撚り合せて強化すると共に、中間部は細長い円弧形に膨らませた膨出部１６と、先端は互いに接合するように形成した接合部１７とからなる。
このような歯１４は、先端の接合部１７が頭髪間に入り込むと共に、膨出部１６間で頭髪を挟み込むようにして櫛を形成している。従って、互いに隣接する膨出部間の狭いほうが、頭髪をより確実に係止することができる。撚り合せ部は基体１３から延出した歯が、容易に変形しないように補強しているものである。
また、第１の櫛１２の先端部である接合部１７は、膨出部１６と斜交するように折曲して斜交１８させている。
第２の櫛２２は、第１の櫛１２と同様であるが、先端部を斜交させないで、膨出部と同一方向に延出している点が相違する。【０００７】  このような第１の櫛１２と第２の櫛２２との両端部は、それぞれの歯の延出方向と同方向に折曲１９している。この折曲部は図１で示す状態に組合せすると共に、接合させて溶着などによって固定している。
組合せ方としては、図１で示したように第１の櫛１２と、第２の櫛２２とを重ね合せしたり、図３で示すように第２の櫛２２の歯２４の先端である接合部２７が、第１の櫛１２の歯１４を形成する撚り合せ部の間に、互いに入り込むように組合せしたりする方法がある。
図３で示す組合せ方によれば、第１の櫛１２と第２の櫛２２との基体１３、２３同士が、互いに相手の歯１４、２４の上側に配置されることによって、それぞれの歯は湾曲上に傾斜した状態になる。この傾斜した状態は、前頭部の傾斜に合っており、頭髪に入り込み易い櫛となるから都合が良い。【０００８】  このように形成した掛止具１１の帽子への取付について、図面を参照して説明する。図４は帽子への取付手段を形成する例について示す説明図、図５は図４の取付例を示す説明図、図６は同じく取付けの途中を示す説明図である。
図４で示すように掛止具１１を帽子に取付けるには、掛止具１１を形成する第１の櫛１２と第２の櫛２２に設けられ、図中の点線で示す両端側の歯１４と２４とを、基体１３と直交する方向に折曲して、取付手段１５を設ける。
このような取付手段１５は、掛止具１１の両端側の他に、必要に応じて中間部にも、同様に折曲して形成することができる。
尚、取付手段１５の折曲方向は、図５で示すように、帽子内に設けられた汗取りリボン３側に向けて折曲するものである。
このように複数の取付手段を設けた掛止具１１は、図５で示すように、帽子１のつば２に隣接して設けた汗取りリボン３に、取付手段１５を突き刺して取付けする。汗取りリボン３は、その目的から比較的織目の荒い生地でできており、歯の先端部を形成する接合部１７を容易に突き刺すことができる。
図６で示すように取付手段１５を突き刺したら、汗取りリボンの裏側に突き出た取付手段１５を折曲して、汗取りリボンと取付手段１５とを密着させることにより、掛止具１１を複数個所で確実に取付けすることができて、掛止具付きの帽子１０となる。
このような取付手段１５によれば、櫛の歯を折曲して取付けられ、別部品などで特別な取付手段を必要としないので、掛止具１１の帽子への着脱が非常に簡単である。【０００９】  このように構成した掛止具付きの帽子１０の使用例について説明する。
掛止具付きの帽子１０を使用するには、一般的な帽子と同様に使用すると、第１の櫛１２と第２の櫛２２とが頭髪に掛止する。更に、帽子を回転方向に少し往復移動させるように動かすと、第１の櫛１２に設けた斜交１８が頭髪内に入り込んで、頭髪とは斜めに当接するから、当接本数を増加させた状態で掛止することができる。
このような状態は、風圧による帽子の抜け方向に対して、その抵抗力を増加させるように作用するので有利である。
帽子を被った時や、回転方向の往復移動は、頭髪の一部が基体１３と基体２３との間にもぐり込んで、掛止具１１と頭髪とをより確実に掛止する。
帽子の抜け方向に関しては、斜交１８の存在だけではなく、頭髪と直交する２本の基体が、頭髪を逆立てるように作用して、大きな抵抗力となる。
瞬間的な風圧に対しても、２本の基体の存在によって、ストレートな髪に対しても、帽子の飛散を阻止することができるし、ウエーブのある髪であれば、更に確実である。
本発明の掛止具１１によれば、２本の平行に配置された基体と、この基体間に配設された撚り合せ部、更に歯の先端に設けた斜交１８の存在によって、風圧に対抗することができる。【００１０】  本発明の他の掛止具について、図面を参照して説明する。図７は本発明の他の例を示す掛止具の説明図である。
本発明の他の例で示す掛止具３１は、金属製の板体を打ち抜いて形成したものであり、図７で示すように、前述例で示した第１の櫛と第２の櫛とを一体化した１枚の板よりなる。
その形状としては、長方形の枠形よりなる基体３３と、この基体の各長辺側から、対向した状態で歯３４を延出して形成している。歯３４は小さな湾曲を連続した帯状であり、一方の歯の先端には、前述例と同様に、斜交３８を設けて、頭髪との当りが強くなるようにして風圧に配慮している。
歯３４を形成する連続した湾曲部３６は、前述例の膨出部１６と同様で、髪の挟みを確実にするためである。したがって、湾曲した形の他に、ジグザグ状などのように、髪との抵抗を増す形状にして掛止状態を向上させる形であれば良い。
また、基体３３の枠内には、枠を強化する理由で複数個所に補強桟３７を設けると共に、この補強桟３７でも髪との抵抗を増すように配慮している。
この基体３３を形成する枠内に髪が入り込んで、風圧に対処することは前述例と同様である。
このような掛止具３１は、その両端部の歯を図４で示したと同様に折曲して、帽子への取付手段３５にすると共に、帽子内の汗取りリボンに突き刺して取付けることも、前述例と同様である。【００１１】  図１及び図７で示した掛止具は、櫛の歯を互いに逆向きに設けたものであり、金属製の他に合成樹脂製であったり、市販の櫛を一体化して形成したりすることもできる。
このような掛止具を帽子に取付けて、掛止具付の帽子とすることによって、外見は普通の帽子と全く変らない状態で、風圧に対する帽子の吹飛びを阻止することができる。
下向きの歯は、帽子を被った時に髪を掛止するので、ちょっとした動きや何かに軽く帽子が接触した位では、問題なく使用することができる。
また、対向車の風圧などに対しても、基体や斜交などの存在によって、髪を逆立てるように作用するから、帽子を吹き飛ばすようなことはない。強風であっても掛止具の作用によって、帽子を吹き飛ばす迄に時間がかかるので、素早く手で押えることも可能であるから、帽子を吹き飛ばすようなことも少ない。
第１の櫛に設けた斜交１８は、第１の櫛だけではなくて、第２の櫛にも形成すると更に効果がます。また、この係止具は、帽子内周の前頭部に設けて説明したが、両側頭部に設けて使用できることは、もちろんのことである。
【図面の簡単な説明】
【００１２】
【図１】    本発明の掛止具を示す斜視図である。
【図２】    図１の分解斜視図である。
【図３】    図２で示した第１の櫛と第２の櫛との他の組合せ方を示す説明図である。
【図４】    帽子への取付手段を形成する例について示す説明図である。
【図５】    図４の取付例を示す説明図である。
【図６】    図５の取付途中を示す説明図である。
【図７】    本発明の他の例の掛止具を示す説明図である。
【符号の説明】
【００１３】  １０  掛止具付きの帽子
１１  掛止具
１２  第１の櫛
１３  基体
１４  歯
１５  取付手段
１８  斜交
２２  第２の櫛
２３  基体
２４  歯
３１  掛止具
３３  基体
３４  歯
３６  湾曲部
３８  斜交
【図１】
2006316396.tif 000003
【図２】
2006316396.tif 000004
【図３】
2006316396.tif 000005
【図４】
2006316396.tif 000006
【図５】
2006316396.tif 000007
【図６】
2006316396.tif 000008
【図７】
2006316396.tif 000009